(57)【要約】【課題】  施工現場で現場作業者によるレリースワイヤの再連結による作動不良やレリースワイヤの損傷を防止して排水口部材に排水継手を接続するに際して、開放縁にフランジが折曲状に形成されている普及品の排水継手を使用して、排水口部材と排水継手とを接続できる排水栓装置を提供する。【解決手段】  出荷時に、排水栓機構２の作動部１２に排水継手７を挿通して連結されているレリースＡの一端側が所要の引出し方向に向くように排水継手７を周方向に回動した状態で開放端のフランジ７ａにホルダー１２ｂの鍔９を載置し、そのフランジ７ａに下方から掛止する袋ナット１０２を排水口部材１０１に螺嵌によって接続すると同時に、フランジ７ａと、排水口部材１０１下端とでホルダー１２ｂを挟持して排水栓機構２の作動部１２を取付ける。【選択図】図２
2006183423.tif 000002
【特許請求の範囲】
【請求項１】
操作部にレリースワイヤの一端側を連結し、同レリースワイヤの他端側を、洗面器、流し等の水槽底部の排水口部材に接続される排水継手に挿入して排水栓機構の作動部に連結し、該排水継手を回転させずに排水口部材に接続するように構成し、前記操作部の操作でレリースワイヤからの伝達力を前記作動部に伝えて排水栓を開閉する排水栓装置において、前記排水継手開放縁のフランジに前記排水栓機構の作動部を支持するホルダーを載置した状態で排水継手を排水口部材に接続して、該ホルダーの縁を排水継手のフランジと排水口部材の下端とで挟持して前記排水栓機構の作動部を取付けたことを特徴とする排水栓装置。
【請求項２】
前記ホルダーの縁を鍔で構成し、該鍔にＵパッキンを嵌め合わせ、前記接続時にそのＵパッキンを押圧して排水口部材とホルダーとの間及びホルダーと排水継手との間を水密にしたことを特徴とする請求項１記載の排水栓装置。
【発明の詳細な説明】
【技術分野】
【０００１】
本発明は洗面器、流し等の排水栓装置、更に詳しくは操作部の操作力を、排水口部材に接続する排水継手をその側方から導入されるレリースワイヤで排水栓装置に伝達して、その排水栓機構を作動させ、排水口を開閉する排水栓装置に関するものである。
【背景技術】
【０００２】
排水栓装置は、洗面器、流し等の水槽底部に取付けられる排水口部材に、下端を排水管に連絡する排水継手の上端を接続し、その排水継手にその側方から遠隔操作用レリースを挿入して、排水栓機構の作動部に連結して、操作部の操作力を排水栓機構に伝達するようになっている。
その排水栓装置の具体例には、排水口部材に接続される排水継手の内面に、排水栓機構の作動部を支持するホルダー用の係合段面を段設すると共に排水継手の先端に排水口部材内面に添接するガイド用立ち上げ筒を立ち上げ形成し、排水継手に挿入する遠隔操作用レリースの他端側を排水栓機構の作動部に連結する一方、前記ホルダーを前記係合段面に係合すると共に排水継手開放縁のフランジに平パッキンを載置した状態で前記ガイド用立ち上げ筒をガイドにして排水口部材に排水継手を嵌合した後、袋ナットを排水口部材に螺嵌して、排水口部材に排水継手を回転させずに接続する構成のもの（特許文献１参照）や、前記フランジ、ガイド用立ち上げ筒を排水継手から分離にして、ホルダーにフランジ、ガイド用立ち上げ筒を一体成形し、排水継手の先端外周面にそのホルダーを係合させる係合凹部を凹設した構成のもの（特許文献２参照）等が存在する。
前記特許文献１、２は、遠隔操作用レリースの排水継手からの引き出し方向を所要にした状態で、排水継手を回転させずに袋ナットで排水口部材に接続可能であるため、施工現場でのレリースの再連結による問題点（施工現場で現場作業者が連結することによって生じるレリース他端側の作動部への連結（ネジ込み）不完全を原因とする作動不良、レリース他端側が誤って斜め状に連結されて損壊する等の製造メーカーで保証された品質を損なう）を解消することができる。
【０００３】
しかし、特許文献１、２は、内面に係合段部を凹設し先端にガイド用立ち上げ筒部を立ち上げ形成した特殊構造の排水継手や先端周面に係合凹部を凹設した特殊構造の排水継手を専用の排水継手を製作して、対応する必要があり、廉価に提供できない。
【特許文献１】特開２００１−３４２６５８号公報
【特許文献２】特開２００２−８８８５２号公報
【発明の開示】
【発明が解決しようとする課題】
【０００４】
本発明は上記従来事情に鑑みてなされたもので、その目的とする処は、施工現場で現場作業者によるレリースワイヤの再連結による作動不良やレリースワイヤの損傷を防止して排水口部材に排水継手を接続するに際して、開放縁にフランジが折曲状に形成されている普及品の排水継手を使用して、排水口部材と排水継手とを接続できる排水栓装置を提供することにある。
【課題を解決するための手段】
【０００５】
前記課題を解決するために講じた技術的手段は、操作部にレリースワイヤの一端側を連結し、同レリースワイヤの他端側を、洗面器、流し等の水槽底部の排水口部材に接続される排水継手に挿入して排水栓機構の作動部に連結し、該排水継手を回転させずに排水口部材に接続するように構成し、前記操作部の操作でレリースワイヤからの伝達力を前記作動部に伝えて排水栓を開閉する排水栓装置において、前記排水栓機構の作動部を支持するホルダーの縁を排水継手の排水口部材との接続時に前記排水継手開放縁のフランジと排水口部材の下端とで挟持して前記排水栓機構の作動部を取付けたことを特徴とする排水栓装置である（請求項１）。
ここで、排水継手を回転させずに排水口部材に接続する手段としては、例えば袋ナットがその一種として提案できる。
また、作動部は、スラストロック機構を内蔵したり、栓軸を直接的または間接的に押動すべくインナーワイヤの他端側を進退可能に収容する構成になっている。後者においては、プッシュでロック・アンロックを交互に繰り返して排水栓を開閉したり、プッシュで排水栓を開栓し、プルで同栓を閉栓するようにする。
【０００６】
以上の手段によれば、出荷時にレリースの他端側に連結されている排水栓機構の作動部との連結を解除せずとも、そのレリースが所要の引出し方向に向くように排水継手を周方向に回動した状態で開放端のフランジにホルダーの鍔を載置し、そのフランジに下方から掛止する袋ナットを排水口部材に螺嵌によって接続すると同時に、フランジと、排水口部材下端とでホルダーを挟持して排水栓機構の作動部を取付けることができる。
【０００７】
そして、前記ホルダーの縁を鍔で構成し、該鍔にＵパッキンを嵌め合わせ、前記接続時にそのＵパッキンを押圧して排水口部材とホルダーとの間及びホルダーと排水継手との間を水密にするように構成すると最適なものである（請求項２）。
【０００８】
以上の手段によれば、出荷時に落下不能に保持されシール手段（Ｕパッキン）が排水継手を排水口部材に接続すると同時に押圧されて排水継手、ホルダー、排水口部材との間を水密にする。
【発明の効果】
【０００９】
本発明は以上のように、施工現場で現場作業者によるレリースの再連結による作動不良、レリースの損傷を防止して排水口部材に排水継手を接続するに際して、開放縁に水平フランジのみを折曲状に形成している普及品の排水継手を使用して、排水口部材に接続でき、製作コストの低減を図ることができる。
その排水継手は、金属製薄肉パイプからの加工で簡単に製作することができ、非常に廉価である。
しかも、排水継手、ホルダー、排水口部材との間を水密にするに際して、排水栓機構の作動部を支持するホルダーを取付部にしてＵパッキンを予め保持させておくことができるので、施工現場でパッキンを所要箇所に配置、介在する面倒さ無くし、組み付け作業の簡略化を図ることができる。
【発明を実施するための最良の形態】
【００１０】
次に本発明排水栓装置の実施の形態を図１〜図７に基づいて説明すると、符号Ｂはその排水栓装置である。
【実施例１】
【００１１】
この排水栓装置Ａは、排水口部材１０２と、その排水口部材１０１の下半部外周の外螺子にパッキンを介して螺嵌する締付ナット１０３と、排水口部材１０１の下端に袋ナット１０２で接続される排水継手７と、操作部１と、排水栓機構２の作動部１２と、前記操作部１に一端側が、作動部１２に他端側が各々連結され排水継手の引出孔から外部に引出されたレリースワイヤＡ等から構成されている。
【００１２】
前記レリースワイヤＡは、図５に示すようにインナーワイヤａ２を摺動可能に案内するアウターチューブａ１の両端にジョイント部材ａ３を設けると共に、一端側のジョイント部材ａ３をスラストロック機構（図示せず）を内蔵した接続筒ａ４に螺嵌して連結し、他端側のジョイント部材ａ３に排水栓機構２の作動部１２が螺嵌によって連結可能になっている。
【００１３】
接続筒ａ４は、スラストロック機構（図示せず）を内蔵するその本体筒ａ４’をスナップフィットＳＦで操作筒１１に係脱するように構成されている。
該スナップフィットＳＦは、本体筒ａ４’先端から同軸状に上方に突設した差込用案内突部ａ４”と、操作筒１１の下端近傍に設けた係合溝１１ａと、前記本体筒ａ４’外周に間隔をおいて設けられ前記係合溝１１ａに係脱可能に係合する係合爪３とを備えている。
【００１４】
前記操作部１は、図３等に示すように、上端に周設した係止鍔１１ｂを洗面器、流し等の上縁面ｃ１上面に載置して操作筒１１を、上縁面ｃ１を貫通して配置し、上端に操作ボタン１１ｃ’を有する操作軸１１ｃを、操作筒１１の筒孔１１ｄに上下摺動可能に挿入し、係止鍔１１ｂと、操作筒１１外周面に螺刻した螺子部１１ｅに螺嵌する固定用ナット４とで前記上縁面ｃ１を挟持するようにして操作筒１１を取付けている。
また、前記操作部１は、図４に示すようにスパウト（水栓金具）ＳＰが取付部になっている場合もあり、この場合には、スパウトに設けた螺子孔に操作筒１１を捩じ込んで取り付けられており、符号１１ｃは操作軸である。
【００１５】
前記差込用案内突部ａ４”は、筒部であり、その外径を前記操作筒１１の筒孔１１ｄとほぼ同径にして、接続筒ａ４を操作筒１１に対して同軸状に差込む時のガイド機能を発揮するようになっている。
【００１６】
係合爪３は、図３、図５〜図７等に示すように、接続筒ａ４の筒芯を挟んで対向状に配設され、各々を上端に爪部１３が内向きに突設され中途部を接続筒ａ４の外周面に一体に支持した中途支持構成にして、下半部２３を人為的に掴持することによる弾性変形で爪部１３を有する上半部３３が外向きに弾性的に傾動するように形成されている。
前記係合爪３は、その下半部２３の外面に滑り止め部２３ａを突設形成して、掴む指が滑ることがないように配慮されている。
【００１７】
一方、操作筒１１は、係合溝１１ａと下端との間の所要範囲を上外向テーパー部１１ｆで形成して、差込用案内突部ａ４”の操作筒１１に対するガイド機能で遠隔操作用レリースＡを差込むことによって、その上外向テーパー部１１ｆで爪部１３が外向きに拡開変形されてその進入を妨げず、爪部１３がその変形復元力で係合溝１１ａに係合すると同時に、上外向きテーパー部１１ｆを爪部１３と接続筒ａ４上端の段差面５とで挟持するようになっている。
符号６はシール用のＯリングである。
【００１８】
前記スラストロック機構（図示せず）は、操作ボタン１１ｃ’を押動する度にスプリングの弾撥力に抗して内部の歯合体が下降しその下降の度にロックと、ロック解除を交互に繰り返す周知のラチェット機構であり、噛合体の下降に伴ってインナーワイヤａ２を押し下げてインナーワイヤの逆側端で、後述する排水栓機構２の作動部１２で上下動可能に支持されている押上用の軸８を押上げて開栓と閉栓とを交互に行うようになっている。
【００１９】
前記遠隔操作用レリースＡの他端側は、図２等に示すように排水継手７の中途部に開孔されている引出孔１７に掛止されたガスケット２７から水密状に排水継手７内に挿入して排水栓機構２の作動部１２に連結されるようになっている。
【００２０】
排水栓機構２の作動部１２は、内部中空なケース１２ａの上端に押上用の軸８を上下動可能に貫挿してなり、下端にジョイント部材ｃ３を螺嵌して遠隔操作用レリースＡの他端側に連結され、該ケース１２ａはホルダー１２ｂで支持されている。
このホルダー１２ｂは、前記ケース１２ａから放射状に支持ブラケット片１２ｂ’…を延設し、その支持ブラケット片１２ｂ’…の延設端を外輪１２ｂ”で連結し、該外輪１２ｂ”の上縁から水平な鍔９を外向きに突設した構成になっている。
【００２１】
前記ホルダーの鍔９には、ＵパッキンＰが嵌合されており、該ＵパッキンＰが排水継手７のフランジ７ａと排水口部材１０１の下端面と丁度対応する位置関係になるようになっている。
そして、押上用の前記軸８で、上方から栓蓋１０ａ、振れ止め片１０ｂを順に有する栓軸１０を支承して排水栓機構２を構成している。
【００２２】
前記排水継手７は、金属製または合成樹脂製であり、開放縁にフランジ７ａのみを折曲状に形成する普及品が使用されている。
【００２３】
斯かる排水栓装置Ａは、遠隔操作用レリースＡ、排水栓機構２の作動部１２、排水口部材１０１、排水継手７、袋ナット１０２、締付ナット１０３等は一体的に組み付けた状態で出荷される。
そして、施工現場で袋ナット１０２、締付ナット１０３を外した後、図２に示すように、排水口部材１０１を排水口１００に水槽内から差し込んでからパッキンを弾圧するように締付ナット１０３を螺嵌して水槽底部ｃ２に排水口部材１０１を挾着した後、遠隔操作用レリースＡが所要の引出し方向に向くように排水継手７を周方向に回動した状態で開放端のフランジ７ａに下方から掛止する袋ナット１０２を排水口部材１０１に螺嵌によって接続すると同時に、フランジ７ａと、排水口部材１０１下端面とで、ＵパッキンＰを押圧するよう前記ホルダー１２ｂを水密状に挟持して排水栓機構２の作動部１２を取付ける。
【００２４】
また、遠隔操作用レリースＡの一端側は、排水口部材１０１への排水継手７の接続前または後にスナップフィットＳＦで接続筒ａ４を洗面器、流し等の上縁面ｃ１やスパウトＳＰに取付けられている操作筒１１に連結する。
尚、図４においても、遠隔操作用レリースＡの一端側を、スナップフィットＳＦでスパウトＳＰに取り付けられている操作筒１１に係脱可能に係合する構成になっていること同様であり、同一符号を付して具体的説明は省略する。
【００２５】
尚、本発明排水栓装置において、レリースワイヤの一端側と操作部との連結に関しては、接続筒外周面に螺子部を螺刻し、螺子部を操作筒に螺嵌して連結する旧来の手段等適宜手段で行うこと自由なものである。
【図面の簡単な説明】
【００２６】
【図１】本発明排水栓装置の使用状態を示す正面断面図で、開栓状態を示す。
【図２】排水栓装置の組み付け前の状態を示す分解図で、一部切欠して示す。
【図３】操作部と接続筒との連結状態を示す拡大正面図で一半部を断面して示す。
【図４】排水栓装置の正面断面図で、水栓金具（スパウト）に設けた操作筒に接続筒を連結した状態を示す。
【図５】遠隔操作用レリースの拡大図で一部切欠して示し、排水栓機構の作動部に連結する前の状態を示している。
【図６】要部の拡大斜視図。
【図７】同要部を示し、（ａ）は平面図、（ｂ）は正面図で、一半部を断面して示す。
【符号の説明】
【００２７】
Ａ：遠隔操作用レリース            １１：操作筒
１１ｃ：操作軸                        ｃ１：上縁面
ＳＰ：水栓金具（スパウト）        １０１：排水口部材
７：排水継手                        ２：排水栓機構
１２：作動部                        ＳＦ：スナップフィット
ａ４：接続筒                      １１ａ：係合溝
３：係合爪                      ａ４”：差込用案内突部
１３：爪部                        １１ｆ：上外向きテーパー部
１２ｂ：ホルダー                        ９：鍔
Ｐ：Ｕパッキン                      ７：排水継手
７ａ：フランジ                      ｃ２:水槽底部
【図１】
2006183423.tif 000003
【図２】
2006183423.tif 000004
【図３】
2006183423.tif 000005
【図４】
2006183423.tif 000006
【図５】
2006183423.tif 000007
【図６】
2006183423.tif 000008
【図７】
2006183423.tif 000009